(57)【特許請求の範囲】
【請求項１】
送受信手段を介した情報の送受信又は入力手段を介して利用者から指示の入力が所定の時間の間なかった場合にはタイマがタイムアウトを発生し、送受信手段を介して他の通信機器が発したアイドルタイムアウトを受信した際において前記タイムアウトが発生している場合には、前記他の通信機器の動作電力の遮断を受諾する情報を前記他の通信機器に送信するとともに、自己の動作電力を遮断することを特徴とする通信機器。
【請求項２】
前記他の通信機器が発したアイドルタイムアウトを受信した際に前記タイムアウトが発生していない場合にはタイムアウト保留フラグを記録手段にセットし、後に前記タイムアウトが発生した場合であって前記タイムアウト保留フラグが記録手段にセットされている場合には、前記他の通信機器の動作電力を遮断する指示を前記他の通信機器に送信することを特徴とする請求項１の通信機器。
【請求項３】
送受信手段を介した情報の送受信又は入力手段を介して利用者から指示の入力が所定の時間の間なかった場合にはタイマがタイムアウトを発生し、送受信手段を介して他の通信機器が発したアイドルタイムアウトを受信した際において前記タイムアウトが発生している場合には、前記他の通信機器の処理モードの待機モードへの設定を受諾する情報を前記他の通信機器に送信するとともに、自己の処理モードを待機モードに設定することを特徴とする通信機器。
【請求項４】
前記他の通信機器が発したアイドルタイムアウトを受信した際に前記タイムアウトが発生していない場合にはタイムアウト保留フラグを記録手段にセットし、後に前記タイムアウトが発生した場合であって前記タイムアウト保留フラグが記録手段にセットされている場合には、前記他の通信機器の処理モードを待機モードに設定する指示を前記他の通信機器に送信することを特徴とする請求項３の通信機器。
【請求項５】
前記タイムアウト保留フラグは、前記他の通信機器からアイドルタイムアウト以外の情報を受信した場合、もしくは、利用者による操作が発生した場合にリセットされる請求項２又は４の通信機器。
【請求項６】
前記他の通信機器が発したアイドルタイムアウトを受信した際において自己のタイムアウトが発生していない場合には、タイムアウトを保留する情報を前記送受信手段を介して前記他の通信機器に送信することを特徴とする請求項１〜５のいずれかの通信機器。
【請求項７】
サーバ側の通信機器とクライアント側の通信機器とを備える通信システムであって、
前記サーバ側の通信機器は、送受信手段を介した情報の送受信又は入力手段を介して利用者から指示の入力が所定の時間の間なかった場合にはタイマがタイムアウトを発生し、送受信手段を介して前記クライアント側の通信機器が発したアイドルタイムアウトを受信した際において前記タイムアウトが発生している場合には、前記クライアント側の通信機器の動作電力の遮断を受諾する情報を前記クライアント側の通信機器に送信するとともに、自己の動作電力を遮断し、
前記クライアント側の通信機器は、前記クライアント側の通信機器の動作電力の遮断を受諾する情報を受信すると、自己の動作電力を遮断することを特徴とする通信システム。
【請求項８】
前記サーバ側の通信機器は、前記クライアント側の通信機器が発したアイドルタイムアウトを受信した際に前記タイムアウトが発生していない場合にはタイムアウト保留フラグを記録手段にセットし、後に前記タイムアウトが発生した場合であって前記タイムアウト保留フラグが記録手段にセットされている場合には、前記クライアント側の通信機器の動作電力を遮断する指示を前記クライアント側の通信機器に送信することを特徴とする請求項７の通信システム。
【請求項９】
サーバ側の通信機器とクライアント側の通信機器とを備える通信システムであって、
前記サーバ側の通信機器は、送受信手段を介した情報の送受信又は入力手段を介して利用者から指示の入力が所定の時間の間なかった場合にはタイマがタイムアウトを発生し、送受信手段を介して前記クライアント側の通信機器が発したアイドルタイムアウトを受信した際において前記タイムアウトが発生している場合には、前記クライアント側の通信機器の処理モードの待機モードへの設定を受諾する情報を前記クライアント側の通信機器に送信するとともに、自己の処理モードを待機モードに設定し、
前記クライアント側の通信機器は、前記クライアント側の処理モードの待機モードへの設定を受諾する情報を受信すると、自己の処理モードを待機モードに設定することを特徴とする通信システム。
【請求項１０】
前記サーバ側の通信機器は、前記クライアント側の通信機器が発したアイドルタイムアウトを受信した際に前記タイムアウトが発生していない場合にはタイムアウト保留フラグを記録手段にセットし、後に前記タイムアウトが発生した場合であって前記タイムアウト保留フラグが記録手段にセットされている場合には、前記クライアント側の通信機器の処理モードを待機モードに設定する指示を前記クライアント側の通信機器に送信することを特徴とする請求項９の通信システム。
【請求項１１】
前記サーバ側の通信機器は、前記タイムアウト保留フラグを、前記クライアント側の通信機器からアイドルタイムアウト以外の情報を受信した場合、もしくは、利用者による操作が発生した場合にリセットする請求項８又は１０の通信システム。
【請求項１２】
前記サーバ側の通信機器は、前記クライアント側の通信機器が発したアイドルタイムアウトを受信した際において自己のタイムアウトが発生していない場合には、タイムアウトを保留する情報を前記送受信手段を介して前記クライアント側の通信機器に送信し、
前記クライアント側の通信機器は、前記タイムアウトを保留する情報を受信すると、アイドルタイマをリセットすることを特徴とする請求項７〜１１のいずれかの通信システム。
【請求項１３】
送受信手段を介した情報の送受信又は入力手段を介して利用者から指示の入力が所定の時間の間なかった場合にはタイムアウトを発生するステップと、
送受信手段を介して他の通信機器が発したアイドルタイムアウトを受信した際において前記タイムアウトが発生している場合には、前記他の通信機器の動作電力の遮断を受諾する情報を前記他の通信機器に送信するとともに、自己の動作電力を遮断するステップと、
を含むことを特徴とする通信方法。
【請求項１４】
送受信手段を介した情報の送受信又は入力手段を介して利用者から指示の入力が所定の時間の間なかった場合にはタイムアウトを発生するステップと、
送受信手段を介して他の通信機器が発したアイドルタイムアウトを受信した際において前記タイムアウトが発生している場合には、前記他の通信機器の処理モードの待機モードへの設定を受諾する情報を前記他の通信機器に送信するとともに、自己の処理モードを待機モードに設定するステップと、
を含むことを特徴とする通信方法。
【請求項１５】
請求項１３又は１４の通信方法をコンピュータに実行させる通信プログラム。
【発明の詳細な説明】
【０００１】
【発明の属する技術分野】
本発明は、通信機器に係り、特に自動で自己の機器を待機モード等に設定することが可能な通信機器に関する。
【０００２】
【従来の技術】
カメラからフイルムＩＤ情報及び撮影コマ情報を情報端末機器（ＰＤＡ）に出力し、ＰＤＡを用いて撮影コマ情報毎にメッセージ情報を入力し、ＰＤＡによりフイルムＩＤ情報、撮影コマ情報、及びメッセージ情報を関連付けたメッセージファイルを作成し、記憶する。プリントを依頼するときに、フイルムカートリッジを提出するとともに、前記メッセージファイルをＰＤＡからプリンタ側の記憶装置に出力し、定型文を用いることなく自由度の高いメッセージ情報を入力可能とするメッセージ情報入力方法が、特開平１０−２６８４３４号の公報に示されている。
【０００３】
また、デジタルカメラと携帯端末とを同時に携帯する場合や、デジタルカメラで撮影した画像を伝送する場合に、各装置をそれぞれ別個に操作する煩わしさを軽減することができる携帯端末及びデジタルカメラが、特開平１１−８８２３号の公報に示されている。
【０００４】
また、位置情報を取得・入力する携帯端末１０などの画像撮影手段を独立した筐体に収納し、その間を有線もしくは無線の情報の入出力インターフェースで結合する構成とした画像撮影装置が特開２００１−２８７０４号の公報に示されている。当該画像撮影装置は、カメラ本体を大型化することなく、位置情報やその他の種々の情報を取得・入力して、該情報を撮影した画像に対応づけて記録することを可能としている。
【０００５】
【発明が解決しようとする課題】
特開平１０−２６８４３４号の公報に示されているメッセージ情報入力方法は、銀塩カメラとＰＤＡとが通信インターフェースにより通信し、フイルムのＩＤ、撮影情報等をプリンタ側に転送するものである。
【０００６】
また、特開平１１−８８２３号の公報に示されている携帯端末等では、通信インターフェースにより携帯端末からデジタルカメラの制御、撮影画像の転送などを実施するものである。
【０００７】
また、特開２００１−２８７０４号の公報に示されている画像撮影装置では、通信インターフェースにより、携帯端末からデジタルカメラに位置情報等を転送して画像に貼付させるものである。
【０００８】
なお、携帯機器の動作電源は電池により動作するものが一般的であり、無駄な電力消費を押さえる目的から無操作時間が所定の時間続くと自動的に電源を遮断するオートパワーオフ機能が設けられている機器が提供されている。
【０００９】
このオートパワーオフは、個々の携帯機器ごとの都合によって発生するために、複数の通信機器が協調して処理を実施している場合には、各機器がばらばらにパワーオフしてしまい、残された通信機器が通信や処理を継続できなくなるという不具合を生じていた。
【００１０】
したがって、他方の通信機器において間通信処理が行われず、かつ利用者による機器の操作が行われていない状態が続くと、その他方の通信機器のタイムアウト処理でオートパワーオフ動作が行われ、強制的に通信が終了してしまうという不具合を生じていた。特に、一方の機器で利用者が操作するのに時間がかかったり、機器の内部処理に時間がかかると、このような不具合を生じやすい。
【００１１】
本発明は、このような事情に鑑みてなされたもので、複数の通信機器間で通信を実施している場合であっても、通信接続されている通信機器同士が連携を取り合って効率よくパワーオフを実施する通信機器を提供することを目的としている。
【００１２】
また本発明は、通信接続されている機器間において、他方の通信機器が一方的にパワーオフしてしまい当方の通信機器において通信を実施することができなくなるという不具合を防止することが可能となる。
【００１３】
【課題を解決するための手段】
本発明は前記目的を達成するために、当該通信機器の処理モードを待機モードに設定する待機モード設定手段又は当該通信機器の動作電力を遮断する電力遮断手段と、他の通信機器と情報の送受信を実施する送受信手段と、前記送受信手段を介した情報の送受信又は入力手段を介して利用者から指示の入力があったことを判定する状態判定手段と、前記状態判定手段が判定した時以降所定の時間が経過したか否かを示すタイムアウトを発生するタイマと、前記送受信手段を介して他の通信機器が発したアイドルタイムアウトを受信した際に前記タイマにおいて自己の通信機器のタイムアウトが発生している場合には前記待機モード設定手段に対して当該通信機器の処理モードを待機モードに設定する指示又は前記電力遮断手段に対して当該通信機器の動作電力を遮断する指示を出力するモード設定手段とを備えたことを特徴としている。
【００１４】
本発明によれば、送受信手段を介した情報の送受信又は入力手段を介して利用者から指示の入力が所定の時間の間なかった場合にはタイムアウトを発生し、送受信手段を介して他の通信機器が発したアイドルタイムアウトを受信した際において前記タイムアウトが発生している場合には、当該通信機器の処理モードを待機モードに設定、又は、当該通信機器の動作電力を遮断するようにしたので、複数の通信機器間で通信を実施している場合であっても通信接続されている通信機器同士が連携を取り合って効率よくパワーオフを実施することが可能となる。
【００１５】
また本発明によれば、通信接続されている機器間において他方の通信機器が一方的にパワーオフしてしまい当方の通信機器において通信を実施することができなくなるという不具合を防止することが可能となる。
【００１６】
また、本発明は前記目的を達成するために、前記モード設定手段は、前記送受信手段を介して他の通信機器が発したアイドルタイムアウトを受信した際に前記タイマにおいて自己の通信機器のタイムアウトが発生していない場合には、当該通信機器のタイムアウトが発生していないことを示すタイムアウトを保留する情報（ペンディング情報）を前記送受信手段を介して他の通信機器に送信することを特徴としている。
【００１７】
本発明によれば前記モード設定手段は、他の通信機器が発したアイドルタイムアウトを受信した際に自己の通信機器のタイムアウトが発生していない場合には、タイムアウトを保留する情報を他の通信機器に送信するようにしたので、複数の通信機器間で通信を実施している場合であっても通信接続されている通信機器同士が連携を取り合って効率よくパワーオフを実施することが可能となる。
【００１８】
また、本発明は前記目的を達成するために、前記モード設定手段は、前記送受信手段を介して他の通信機器が発したアイドルタイムアウトを受信した際に前記タイマにおいて自己の通信機器のタイムアウトが発生していない場合には、当該通信機器のタイムアウトが発生していないことを示すタイムアウト保留フラグ（タイムアウトペンディングフラグ）を記録手段にセットし、後に自己の通信機器のタイムアウトが前記タイマにおいて発生した場合であって記録手段にタイムアウト保留フラグがセットされている場合には、前記待機モード設定手段に対して当該通信機器の処理モードを待機モードに設定する指示、又は、前記電力遮断手段に対して当該通信機器の動作電力を遮断する指示を出力することを特徴としている。
【００１９】
本発明によれば、他の通信機器が発したアイドルタイムアウトを受信した際に前記タイムアウトが発生していない場合にはタイムアウト保留フラグを記録手段にセットし、後に前記タイムアウトが発生した場合であって且つ前記タイムアウト保留フラグが記録手段にセットされている場合には、当該通信機器の処理モードを待機モードに設定、又は、当該通信機器の動作電力を遮断するので、複数の通信機器間で通信を実施している場合であっても通信接続されている通信機器同士が連携を取り合って効率よくパワーオフを実施することが可能となる。
【００２０】
【発明の実施の形態】
以下添付図面に従って、本発明に係る通信機器の好ましい実施の形態について詳説する。
【００２１】
図１は、本発明に係る通信機器の一形態である電子カメラの外観斜視図である。
【００２２】
同図に示すように電子カメラ１０には、被写体像を撮像手段に結像させる撮影レンズが収納されているレンズ鏡胴１００と、電子カメラ１０の処理機能を動作状態と非動作状態に切り換えるいわゆる電源スイッチ１０５と、利用者が撮像及び音声の記録を指示するレリーズボタン１０６と、電子カメラ１０に備えられている各種のモードを設定するモード切替ダイヤル１０７とが設けられている。
【００２３】
また、電子カメラ１０には、表示手段１６８に表示されている項目から所望の項目や画像を取り消す際に操作する取消ボタン１０９と、所望の項目にカーソルを移動してその項目を選択実行する指示を入力する実行ボタン１１０と、表示手段１６８に設定項目のメニュー表示を指示するメニューボタン１１１と、表示手段１６８に表示されているカーソルを移動させる際等に利用する十字ボタン１１３とが設けられている。
【００２４】
また、電子カメラ１０には、無線通信によって他の携帯端末等の通信機器と情報の送受信を実施する場合に搬送波及びデータを送受信するアンテナ１５６と、有線の通信を行う際の通信ポートとなる通信コネクタ１６２と、撮像した画像や電子カメラ１０の処理及び操作に関する情報を表示する表示手段１６８と、表示用の画像信号を外部の機器に出力する出力ポートである画像信号コネクタ１７３と、画像や音声等の情報を記録する挿抜可能な記録媒体１７７とが設けられている。
【００２５】
なお、同図に示す例では、表示手段１６８には利用者が撮像した画像が再生表示されており、併せて現在電子カメラ１０に設定されている処理モードの情報や、撮像時の画像の圧縮率の情報等の、当該画像のコマ番号表示１０４が表示されている。
【００２６】
図２は、本発明に係る通信機器の一形態である電子カメラの信号処理系ブロック図である。
【００２７】
電子カメラ１０の画像処理部には、被写体の像を受光面に結像させて光電変換し、画像信号として出力する撮像手段１５０と、画像サイズの変更、シャープネス補正、輪郭処理、コントラスト補正等の処理をアナログ信号に対して行う画像処理手段１５３と、アナログの画像信号をデジタルの画像データに変換するＡ／Ｄ変換器１５４とが設けられている。
【００２８】
また、他の通信機器と情報の送受信を実施する電子カメラ１０の通信手段は、画像データ等の情報を電波等の搬送波に乗せて送受信するアンテナ１５６と、情報処理手段やメモリから取得した画像データその他の情報を他の通信機器に送信又は他の通信機器から受信するための送受信手段１５７と、画像データ等の情報を他の通信機器と通信ケーブルを介して送受信する通信コネクタ１６２とから構成されている。
【００２９】
また、電子カメラ１０には、画像データ等の情報をＪＰＥＧ−２０００等に示される手法で圧縮処理又は間引き処理を施したり圧縮した画像データ等を伸張展開処理する圧縮伸張手段１６７と、表示手段１６８に表示する各種の文字やメッセージのデータ等を画像とともにオンスクリーンディスプレイするＯＳＤ１６９と、表示用の画像データを一時的に記憶しておくフレームメモリ１７１と、デジタルの画像データを表示用のコンポジット信号等に変換するＤ／Ａ変換器１７２とが設けられている。
【００３０】
また、電子カメラ１０には、電源スイッチ１０５やレリーズボタン１０６、モード切替ダイヤル１０７、取消ボタン１０９、実行ボタン１１０、メニューボタン１１１、十字ボタン１１３等から構成される入力手段１７４と、入力手段１７４を介して入力された入力情報及びＬＥＤ等の表示用の情報を入出力するＩ／Ｏ１７５と、記録媒体１７７を着脱可能に装着する記録媒体装着部１７８と、記録媒体１７７に対して画像データ等の情報を記録したり読み出したりする記録媒体インターフェース１７９とが設けられている。なお、記録媒体１７７は、メモリーカード等の半導体や、ＭＯ等に代表される磁気記録式、光記録式等に代表される着脱可能な記録媒体である。
【００３１】
また、電子カメラ１０には、電子カメラ１０全体の制御を行うとともに画像データのサンプリングタイミング制御、画像データの記録制御、通信制御、画像及び音声の記録に関する制御、表示制御、画像処理制御、タイムアウトの監視等の制御を行う情報処理手段１８０（状態判定手段、モード設定手段）と、情報の書き換えが可能であるとともに記憶した調整用の各種定数等の情報を電源遮断後も記憶し続けることが可能な不揮発性メモリ１８２と、電子カメラ１０の機種名、製造番号等の固有の識別情報、動作プログラム、各定数、表示に関する情報等が記憶されているＲＯＭ１８３と、プログラム実行時の作業領域となる高速読み書き可能な記録手段であるＲＡＭ１８４とが設けられている。
【００３２】
また、電子カメラ１０には、時を刻むカレンダ時計１９０と、情報処理手段１８０の指示に基づいて時間を計数するタイマ１９０Ａと、情報処理手段１８０その他の周辺機器に電池１９１Ａが供給する電力の制御を実施する電源１９１と、撮像時に被写体に光を発光して光量不足を補う発光手段１９３と、該発光手段１９３の発光タイミングや発光する光量の調節を行う発光制御手段１９４とが設けられている。
【００３３】
同図に示すように電子カメラ１０の情報処理手段１８０とその周辺の各回路はバス１９９で接続されており、互いに情報の伝達を高速で行うことが可能であるとともに、情報処理手段１８０が実行する処理プログラムに基づいて周辺の各回路を制御することが可能となっている。
【００３４】
情報処理手段１８０は、タイマ１９０Ａ（プログラマブル・インタバルタイマ等）に対して時間を複数設定することによって、通信のタイムアウトの監視や、トランザクションタイムアウトの監視、情報の送受信に必要な転送レート又は転送時間の測定等を行うことが可能となっている。
【００３５】
また情報処理手段１８０は、電源スイッチ１０５の操作情報やタイマ１９０Ａのタイムアウト情報に基づいて、情報処理手段１８０の動作クロックを遅く設定するとともに、電源１９１（待機モード設定手段、電力遮断手段）に対して当該電子カメラ１０の処理機能を非動作状態に設定することが可能となっている。
【００３６】
非動作状態を指定された電源１９１は、撮像手段１５０、画像処理手段１５３、Ａ／Ｄ変換器１５４、送受信手段１５７、圧縮伸張手段１６７、記録媒体インターフェース１７９、信号処理手段１７０、表示手段１６８、ＯＳＤ１６９等の、待機モード（省電力モード）において動作不要な周辺機器に対して電力の供給を停止する。この状態で例えば電源スイッチ１０５が利用者によって操作されると、情報処理手段１８０は動作クロックを速く設定し、電源１９１に対して動作状態に設定する指示を出力する。動作状態を設定された電源１９１は、各周辺機器に電力の供給を開始し、電子カメラ１０の処理モードが動作状態に設定される。
【００３７】
なお、前記電源１９１（電力遮断手段）は、情報処理手段１８０の指示に基づいて、当該電子カメラ１０の動作電力を遮断するように構成しても本発明の目的を達成することが可能となる。
【００３８】
なお、情報処理手段１８０（状態判定手段）は、送受信手段１５７を介した他の通信機器との情報の送受信の実施を判定することが可能となっている。また情報処理手段１８０（判定手段）は、利用者による入力手段１７４の操作や指示の入力があったことを判定することが可能となっている。
【００３９】
また、情報処理手段１８０は、前記判定した時にタイマ１９０Ａに対して所定の時間を設定することによって、タイマ１９０Ａが発生するタイムアウト（所定の時間が経過したか否かを示す情報）を検出することが可能となっている。
【００４０】
また情報処理手段１８０（モード設定手段）は、送受信手段１５７を介して他の通信機器が発したアイドルタイムアウト情報を受信した際に前記タイマ１９０Ａにおいて自己の電子カメラ１０のタイムアウトが発生している場合には電源１９１（待機モード設定手段）に対して当該電子カメラ１０の処理モードを待機モードに設定する指示を出力することが可能となっている。また、電源１９１に対して待機モードに設定する指示を出力する代わりに、電源１９１（電力遮断手段）に対して当該電子カメラ１０の動作電力を遮断する指示を出力するようにしてもよい。
【００４１】
また、情報処理手段１８０（モード設定手段）は、送受信手段１５７を介して他の通信機器が発したアイドルタイムアウト情報を受信した際に前記タイマ１９０Ａにおいて自己の電子カメラ１０のタイムアウトが発生していない場合には、当該電子カメラ１０のタイムアウトが発生していないことを示すタイムアウトを保留する情報を送受信手段１５７を介して他の通信機器に送信することが可能となっている。
【００４２】
また、情報処理手段１８０（モード設定手段）は、送受信手段１５７を介して他の通信機器が発したアイドルタイムアウト情報を受信した際に前記タイマ１９０Ａにおいて自己の電子カメラ１０のタイムアウトが発生していない場合には、当該電子カメラ１０のタイムアウトが発生していないことを示すタイムアウト保留フラグをＲＡＭ１８４等の記録手段にセットし、後に自己の電子カメラ１０のタイムアウトが前記タイマ１９０Ａにおいて発生した場合であってＲＡＭ１８４等の記録手段にタイムアウト保留フラグがセットされている場合には、電源１９１（待機モード設定手段）に対して当該電子カメラ１０の処理モードを待機モードに設定する指示、又は、電源１９１（電力遮断手段）に対して当該電子カメラ１０の動作電力を遮断する指示を出力することが可能となっている。
【００４３】
図３は、モード切替ダイヤル１０７に設けられている各種設定モードの表示を示す図である。
【００４４】
同図によれば、モード切替ダイヤル１０７には、近傍に存在するパソコンや携帯端末等の他の通信機器と無線通信を実施する通信モード（図３には、Ｗｉｒｅｌｅｓｓと記載）と、記録されている画像の再生を実施する再生モード（図３には、Ｐｌａｙと記載）と、静止画撮影を実施する静止画撮影モード（図３には、Ｃａｍと記載）と、動画撮影を実施する動画撮影モード（図３には、Ｍｏｖと記載）と、日付、撮影モード、撮影画素数、電源のオートオフ時間の設定、警告音の音量等を設定するセットアップモード（図３にはＳｅｔｕｐと記載）とが記載されている。利用者がモード切替ダイヤル１０７を操作することによって、電子カメラ１０の処理モードを所定のモードに設定することが可能となっている。
【００４５】
上記のとおり構成された電子カメラ１０の撮像処理について説明する。
【００４６】
撮像する被写体像は、撮像レンズによって撮像手段１５０の受光面に結像され、結像した被写体像は光電変換されて画像処理手段１５３に出力される。画像処理手段１５３では、この画像信号に対して相関二重サンプリングや増幅、ノイズの低減処理等の画像処理を実施し、Ａ／Ｄ変換器１５４に出力してデジタルデータに変換する。
【００４７】
該デジタルデータに変換した画像データは、情報処理手段１８０の指令により画像のホワイトバランスやガンマ補正、ＹＣ変換、ズーム処理、画素数変換処理等の画像処理が施された後に、一時期ＲＡＭ１８４に記憶される。
【００４８】
情報処理手段１８０は、表示用の画像データをフレームメモリ１７１に転送する。フレームメモリ１７１に記憶された画像データは、逐次Ｄ／Ａ変換器１７２に伝達され、ＯＳＤ１６９から発生されるキャラクタ等の情報とともに表示手段１６８に表示される。
【００４９】
利用者が、入力手段１７４に設けられている撮像指示のためのレリーズボタン１０６を押すと、情報処理手段１８０は被写体を撮像するモードに入る。静止画像を撮像する場合には、一般には２段式のレリーズボタン１０６を用いて、１段目をＡＥやＡＦの調節等の撮像の準備に使用し、２段目を実際の撮像の指示に使用する。また、動画像を撮像する場合には、レリーズボタン１０６を押している間だけ動画像の撮像を実施するようにしてもよいし、レリーズボタン１０６をダブルアクションにしておき、レリーズボタン１０６の押下する毎に撮像開始／撮像停止を指示するようにしてもよい。
【００５０】
画像を記録媒体１７７に記録する場合には、情報処理手段１８０がＲＡＭ１８４に記憶されている画像を逐次読み出して、画像のホワイトバランスやガンマ補正、ＹＣ変換、ズーム処理、画素数変換処理等の画像処理を施した後に、圧縮伸張手段１６７に転送して、画像の圧縮処理を実施する。情報処理手段１８０は、その圧縮処理した画像データと、その画像を撮像した際の撮像条件等の付属情報とを関連付けて、一つの画像ファイルを生成して、再び一時期ＲＡＭ１８４のＦＩＬＥ用ワーク領域に一時記憶する。その後画像ファイルは、記録用の画像データに変換される。
【００５１】
画像ファイルを記録媒体１７７に記録する場合には、該画像ファイルは記録媒体インターフェース１７９に対して出力される。そして記録媒体インターフェース１７９は、取得した画像ファイルを記録媒体装着部１７８を介して順次記録媒体１７７に記録する処理を行う。なお、このとき情報処理手段１８０が静止画サムネイル及び動画サムネイルを生成して、主画像と関連付けて記録媒体１７７に記録する処理を実施してもよい。
【００５２】
また、画像ファイルを送受信手段１５７を介して他の通信機器に出力する場合には、情報処理手段１８０は前記生成した画像ファイルを、送受信手段１５７に出力する処理を行う。前記画像ファイルを取得した送受信手段１５７は、通信コネクタ１６２やアンテナ１５６を介してパソコンや携帯端末等の他の通信機器と通信接続を開始して、画像ファイルを送信する処理を行う。
【００５３】
なお、上記の説明では本発明に係る通信機器の実施例として撮像手段を備えた電子カメラとした実施の形態で説明したが、本発明はこれに限定されるものではなく、通信手段を備えたパソコンや携帯電話、音響機器等の通信機器であっても、本発明の目的を達成することが可能である。
【００５４】
図４に、本発明に係る通信機器の一形態である携帯端末の外観図を示す。
【００５５】
同図に示すように、携帯端末３０には、画像その他の各種の情報を表示するとともに利用者が情報を入力するタッチパネルから構成されている表示手段３６８と、携帯端末３０の処理機能を動作状態と非動作状態に切り換えるいわゆる電源スイッチ３０５と、当該携帯端末３０が動作状態であることを利用者に通知する電源のパイロットランプが設けられている。
【００５６】
利用者は、表示手段３６８に表示されているアイコンボタンやメニューを付属のタッチペンで指示（タップ）したり、表示手段３６８の文字入力エリアに割り当てられている文字入力認識手段を利用して、コマンドや文字の入力を実施することが可能となっている。
【００５７】
図５に、本発明に係る通信機器の一形態である携帯端末３０の信号処理系ブロック図を示す。
【００５８】
同図に示すように、携帯端末３０の情報送受信部には、電子カメラ１０等の通信機器と近距離の無線通信を実施するアンテナ３５６と、情報を無線により送受信するために所定の形式にデータを変換する送受信手段３５７とが設けられている。
【００５９】
また、携帯端末３０には、画像や文字等の情報を表示する表示手段３６８と、表示用の画像データを一時的に記憶しておくフレームメモリ３７１と、フレームメモリ３７１に記録されている表示用の画像データを読み出して表示手段３６８が表示するのに適した表示用の画像信号に変換して出力する表示制御手段３７２と、表示手段３６８に表示されているアイコン等を利用者が指定したことを示す情報や、利用者が入力した文字情報を読み取るタッチパネル３６９と、タッチパネル３６９を介して利用者が入力した情報を情報処理手段３８０に対して出力するタッチパネル制御手段３７０とが設けられている。
【００６０】
また、携帯端末３０には、利用者が電源スイッチ３０５等の入力手段３７４を介して入力した各種情報を読み取って後述する情報処理手段３８０に伝達したり、情報処理手段３８０から取得した指示に基づいて電源のパイロットランプ（ＬＥＤ）等の通知手段に表示指令を出力するＩ／Ｏ３７５とが設けられている。
【００６１】
また、携帯端末３０には、記録媒体３７７を着脱可能に装着する記録媒体装着部３７８と、記録媒体３７７に対して画像データ等の情報を記録したり読み出したりする記録媒体インターフェース３７９とが設けられている。なお、記録媒体３７７は、前記記録媒体１７７と同様の着脱可能な記録媒体である。
【００６２】
また、携帯端末３０には、携帯端末３０の全体の制御を行う情報処理手段（ＣＰＵ）３８０と、情報処理手段３８０を動作させるプログラムや各種定数が記録されているＲＯＭや情報処理手段３８０が処理を実行する際の作業領域となる記録手段であるＲＡＭとから構成されるメモリ３８１と、携帯端末３０の処理に関する各種定数や電子カメラ１０と情報の送受信を実施する際に用いる接続情報等の情報を記録する不揮発性メモリ３８２と、時刻を刻むカレンダ時計３９０と、時刻を計数するタイマ３９０Ａと、当該携帯端末３０を動作させる電力を供給する電池３９１Ａと、情報処理手段３８０その他の周辺機器に供給する電力の制御を行う電源３９１（電力遮断手段、待機モード設定手段）とが設けられている。
【００６３】
同図に示すように携帯端末３０内の情報処理手段３８０と、Ｉ／Ｏ３７５、メモリ３８１、カレンダ時計３９０等を含む各周辺回路はバス３９９で接続されており、情報処理手段３８０は各々の周辺回路を制御することが可能であるとともに、情報処理手段３８０が実行する処理プログラムに基づいて周辺の各回路を制御することが可能となっている。
【００６４】
情報処理手段３８０は、タイマ３９０Ａ（プログラマブル・インタバルタイマ等）に対して時間を複数設定することによって、通信のタイムアウトの監視や、トランザクションタイムアウトの監視、情報の送受信に必要な転送レート又は転送時間の測定等を行うことが可能となっている。
【００６５】
また、情報処理手段３８０は、電源スイッチ３０５の操作情報やタイマ３９０Ａのタイムアウト情報に基づいて、情報処理手段３８０の動作クロックを遅く設定するとともに、電源３９１に対して当該携帯端末３０の処理機能を非動作状態に設定することが可能となっている。
【００６６】
非動作状態を指定された電源３９１は、送受信手段３５７、タッチパネル制御手段３７０、記録媒体インターフェース３７９、フレームメモリ３７１、表示手段３６８、表示制御手段３７２等の、待機モード（省電力モード）において動作不要な周辺機器に対して電力の供給を停止する。この状態で例えば電源スイッチ３０５が利用者によって操作されると、情報処理手段３８０は動作クロックを速く設定し、電源３９１に対して動作状態に設定する指示を出力する。動作状態を設定された電源３９１は、各周辺機器に電力の供給を開始し、携帯端末３０の処理モードが動作状態に設定される。
【００６７】
なお、前記無線通信手段は、電波、超音波、赤外線等の光を搬送波に用いた通信手段である。電波を用いる場合には、無線ＬＡＮ（ローカルエリアネットワーク）やＢｌｕｅｔｏｏｔｈ等の無線通信の仕様に基づいてもよい。
【００６８】
なお、上記の説明では携帯端末３０について説明したが、携帯電話や電子手帳等の通信端末であってもよい。
【００６９】
なお、前記電源３９１（電力遮断手段）は、情報処理手段３８０の指示に基づいて、当該携帯端末３０の動作電力を遮断するように構成しても本発明の目的を達成することが可能である。
【００７０】
なお、情報処理手段３８０（状態判定手段）は、送受信手段３５７を介した他の通信機器との情報の送受信の実施を判定することが可能となっている。また情報処理手段３８０（判定手段）は、利用者による入力手段３７４の操作や指示の入力があったことを判定することが可能となっている。
【００７１】
また、情報処理手段３８０は、前記判定した時にタイマ３９０Ａに対して所定の時間を設定することによって、タイマ３９０Ａが発生するタイムアウト（所定の時間が経過したか否かを示す情報）を検出することが可能となっている。
【００７２】
また情報処理手段３８０（モード設定手段）は、送受信手段３５７を介して他の通信機器が発したアイドルタイムアウト情報を受信した際に前記タイマ３９０Ａにおいて自己の携帯端末３０のタイムアウトが発生している場合には電源３９１（待機モード設定手段）に対して当該携帯端末３０の処理モードを待機モードに設定する指示を出力することが可能となっている。また、電源３９１に対して待機モードに設定する指示を出力する代わりに、電源３９１（電力遮断手段）に対して当該携帯端末３０の動作電力を遮断する指示を出力するようにしてもよい。
【００７３】
また、情報処理手段３８０（モード設定手段）は、送受信手段３５７を介して他の通信機器が発したアイドルタイムアウト情報を受信した際に前記タイマ３９０Ａにおいて自己の携帯端末３０のタイムアウトが発生していない場合には、当該携帯端末３０のタイムアウトが発生していないことを示すタイムアウトを保留する情報を送受信手段３５７を介して他の通信機器に送信することが可能となっている。
【００７４】
また、情報処理手段３８０（モード設定手段）は、送受信手段３５７を介して他の通信機器が発したアイドルタイムアウト情報を受信した際に前記タイマ３９０Ａにおいて自己の携帯端末３０のタイムアウトが発生していない場合には、当該携帯端末３０のタイムアウトが発生していないことを示すタイムアウト保留フラグをメモリ３８１等の記録手段にセットし、後に自己の携帯端末３０のタイムアウトが前記タイマ３９０Ａにおいて発生した場合であってメモリ３８１等の記録手段にタイムアウト保留フラグがセットされている場合には、電源３９１（待機モード設定手段）に対して当該携帯端末３０の処理モードを待機モードに設定する指示、又は、電源３９１（電力遮断手段）に対して当該携帯端末３０の動作電力を遮断する指示を出力することが可能となっている。
【００７５】
図６及び図７は、電子カメラ１０（クライアント側の通信機器）と携帯端末３０（サーバ側の通信機器）の間で実施する通信処理のフローを示した図である。
【００７６】
同図に示す例では、電子カメラ１０を基本的なユーザーインターフェースを有するクライアント側の通信機器とし、携帯端末３０をサーバ側の機器として通信を実施する例を示す。
【００７７】
利用者が「ユーザの操作１」にてモード切替ダイヤル１０７を携帯端末と無線通信を実施する通信モードに設定すると、情報処理手段１８０が実施する処理は、Ｓ１００「通信クライアントモード」（以降Ｓ１００のように省略して記載する）に進む。利用者から「ユーザの操作１」が入力されると、情報処理手段１８０は、タイマ１９０Ａにアイドルタイマ（ｔｃ）をセットする処理を行う。以降タイマ１９０Ａはセットされたアイドルタイマ（ｔｃ）を刻々計数する処理を行う。
【００７８】
また、利用者は携帯端末３０についてもタッチパネル３６９等を操作して「ユーザの操作２０」にて処理モードを通信サーバモードに切り換える処理を行う。処理モードが通信サーバモードに設定されると、情報処理手段３８０が実施する処理は、Ｓ２００「通信サーバモード」に進み、電子カメラ１０からの通信接続を待つ処理を行う。また、利用者から「ユーザの操作２０」が入力されると、情報処理手段３８０は、タイマ３９０Ａにアイドルタイマ（ｔｓ）をセットする処理を行う。以降タイマ３９０Ａはセットされたアイドルタイマ（ｔｓ）を刻々計数する処理を行う。なお、一般にクライアント側のアイドルタイマ（ｔｃ）の設定時間よりも、サーバ側のアイドルタイマ（ｔｓ）を長く設定するとよい。
【００７９】
なお、電子カメラ１０側においては、アイドルタイマ（ｔｃ）は、利用者による入力手段１７４に対する操作や、通信を実施している他の通信機器からのアプリケーションレイヤパケットの到着によりクリア（リセット及び再セット）が実施されるように設定されている。また、携帯端末３０側においては、本実施例の場合は、利用者による入力手段３７４に対する操作は主に実施されないので、アイドルタイマ（ｔｓ）は電子カメラ１０側からのアプリケーションレイヤのパケットの到着時にクリア（リセット及び再セット）がされる。
【００８０】
また、クライアント側の通信機器として設定されている電子カメラ１０側では、情報処理手段１８０はタイマ１９０Ａに対してトランザクションタイマとしての機能を設定することも可能となっている。例えばこのトランザクションタイマには、電子カメラ１０が「Ｒｅｑｕｅｓｔ」パケットを携帯端末３０に対して送信した際に所定の設定値（設定時間）を設定する。そして、送信した「Ｒｅｑｕｅｓｔ」に対する応答として、携帯端末３０から「Ｒｅｓｐｏｎｓｅ」パケットを受信するまでの時間が所定の設定値を超えた場合には、携帯端末３０が応答不能な状態になっていると判断して、通信接続を切断した上で、利用者に対して携帯端末３０と通信を実施することができない状態である旨の通知を表示手段１６８に表示することが可能となっている。
【００８１】
Ｓ１００にて電子カメラ１０の処理モードがクライアントモードに設定されると、情報処理手段１８０が実施する処理はＳ１０２「最終撮影画像表示」に進み、記録媒体１７７に記録されている画像ファイルの中から、最新のタイムスタンプを有する画像ファイルを読み出して、表示手段１６８に主画像を表示する処理を行う。また、通信可能な機器が近傍に存在するか否かを探す処理を実施するために、情報処理手段１８０は送受信手段１５７に対して、「Ｃｏｎｎｅｃｔ  ｒｅｑｕｅｓｔ」を送信する指示を出力する。すると電子カメラ１０から接続要求信号が出力され、携帯端末３０がその接続要求信号を受信する。
【００８２】
「Ｃｏｍ２０」にて接続要求信号を受信した携帯端末３０の情報処理手段３８０は、通信処理を実施したことを受けてタイマ３９０Ａに対してアイドルタイマ（ｔｓ）をリセットして、再びアイドルタイマ（ｔｓ）をセットする指示を出力する。そして情報処理手段３８０は、送受信手段３５７に対して通信接続したことを示す接続応答「Ｃｏｎｎｅｃｔ  ｒｅｓｐｏｎｓｅ」を電子カメラ１０に対して送信する。なお、アイドルタイマ（ｔｓ）のリセットは、電子カメラ１０からパケットを受信した際に実施してもよいし、電子カメラ１０に対してパケットを送信する際に実施するようにしてもよい。
【００８３】
「Ｃｏｍ２」にて該接続応答を受信した電子カメラ１０の情報処理手段１８０は、通信処理を実施したことを受けて、タイマ１９０Ａに対してアイドルタイマ（ｔｃ）をリセットして、再びアイドルタイマ（ｔｃ）をセットする指示を出力する。また、携帯端末３０に対して、例えば携帯端末３０における画像の処理能力、表示能力（表示手段３６８に表示可能な画素数や階調、フォーマット、動画像におけるフレームレートなどの処理能力）を問い合わせる「Ｃａｐａｂｉｌｉｔｙ  ｒｅｑｕｅｓｔ」を送信する。なお、アイドルタイマ（ｔｃ）のリセットは、携帯端末３０からパケットを受信した際に実施してもよいし、携帯端末３０に対してパケットを送信する際に実施するようにしてもよい。また、アイドルタイマ（ｔｃ）及び（ｔｓ）は、トランザクションタイマと兼用するようにしても、本発明の目的を達成することが可能である。
【００８４】
「Ｃｏｍ２２」にて、前記「Ｃａｐａｂｉｌｉｔｙ  ｒｅｑｕｅｓｔ」を受信した携帯端末３０は、通信処理を実施したことを受けて、タイマ３９０Ａに対してアイドルタイマ（ｔｓ）をリセットして、再びアイドルタイマ（ｔｓ）をセットする指示を出力する。また、電子カメラ１０に対して、携帯端末３０における画像の処理能力を回答する「Ｃａｐａｂｉｌｉｔｙ  ｒｅｓｐｏｎｓｅ」を送信する。
【００８５】
「Ｃｏｍ４」にて、携帯端末３０から「Ｃａｐａｂｉｌｉｔｙ  ｒｅｓｐｏｎｓｅ」を受信すると、電子カメラ１０の情報処理手段１８０は、通信処理を実施したことを受けて、タイマ１９０Ａに対してアイドルタイマ（ｔｃ）をリセットして、再びアイドルタイマ（ｔｃ）をセットする指示を出力する。そして、表示手段１６８に、記録媒体１７７から読み出した画像ファイルに記録されている静止画サムネイルを一覧表示して、利用者による選択指示を待つ処理を行う。なお、以降電子カメラ１０から携帯端末３０に対して記録媒体１７７等に記録されている画像を送信する際には、記録媒体１７７等に記録されている画像を前記受信した「Ｃａｐａｂｉｌｉｔｙ」の情報に従った画像のフォーマットに変換して送信する。
【００８６】
利用者が「ユーザの操作２」にて、所望の画像を選択する旨の指示を、入力手段１７４を介して入力すると、情報処理手段１８０が実施する処理はＳ１０４「表示画像変更（△／▽）」に進む。Ｓ１０４では、入力処理を実施したことを受けて、タイマ１９０Ａに対してアイドルタイマ（ｔｃ）をリセットして、再びアイドルタイマ（ｔｃ）をセットする指示を出力する。そして、表示手段１６８に表示されている静止画サムネイルの選択枠（カーソル）を移動させる処理又は、表示されている静止画サムネイルをスクロールする処理（インクリメント及びデクリメントする処理）を行う。
【００８７】
次の「ユーザの操作３」にて、所望の画像を確定（携帯端末３０に対して画像の送信を実行）する旨の指示を、入力手段１７４を介して入力すると、情報処理手段１８０が実施する処理はＳ１０６「画像選択（実行）」に進む。Ｓ１０６では、入力処理を実施したことを受けて、タイマ１９０Ａに対してアイドルタイマ（ｔｃ）をリセットして、再びアイドルタイマ（ｔｃ）をセットする指示を出力する。そして、表示手段１６８に表示されている静止画サムネイルに該当する画像ファイルを記録媒体１７７から読み出して、送受信手段１５７を介して携帯端末３０に送信する処理を行う。
【００８８】
電子カメラ１０から送信された画像ファイル「Ｉｍａｇｅ  Ｐｕｔ」の情報は、「Ｃｏｍ２４」にて携帯端末３０が受信する。「Ｃｏｍ２４」にて画像ファイルを受信した携帯端末３０の情報処理手段３８０は、通信処理を実施したことを受けて、タイマ３９０Ａに対してアイドルタイマ（ｔｓ）をリセットして、再びアイドルタイマ（ｔｓ）をセットする指示を出力する。
【００８９】
そして情報処理手段３８０は、受信した画像ファイルを記録媒体３７７等の記録手段に記録する処理を行う。画像ファイルの受信が完了すると、情報処理手段３８０は、電子カメラ１０に対して画像ファイル受信完了を示す「ＯＫ」情報を送信する処理を行う。
【００９０】
次に情報処理手段３８０は、Ｓ２０２「受信画像表示」にて、電子カメラ１０から受信した画像ファイルに記録されている画像を表示手段３６８に表示する処理を行う。電子カメラ１０が「Ｃｏｍ６」にて「ＯＫ」情報を受信すると、情報処理手段１８０は通信処理を実施したことを受けて、タイマ１９０Ａに対してアイドルタイマ（ｔｃ）をリセットして、再びアイドルタイマ（ｔｃ）をセットする指示を出力する。
【００９１】
また、利用者が「ユーザの操作４」にて、所望の画像を選択する旨の指示を、入力手段１７４を介して入力すると、情報処理手段１８０が実施する処理はＳ１０８「表示画像変更（△／▽）」に進む。Ｓ１０８では、入力処理を実施したことを受けて、タイマ１９０Ａに対してアイドルタイマ（ｔｃ）をリセットして、再びアイドルタイマ（ｔｃ）をセットする指示を出力する。そして、表示手段１６８に表示されている静止画サムネイルの選択枠（カーソル）を移動させる処理又は、表示されている静止画サムネイルをスクロールする処理を行う。
【００９２】
次の「ユーザの操作５」にて、所望の画像を確定（携帯端末３０に対して画像の送信を実行）する旨の指示を、入力手段１７４を介して入力すると、情報処理手段１８０が実施する処理はＳ１１０「画像選択」に進む。Ｓ１１０では、入力処理を実施したことを受けて、タイマ１９０Ａに対してアイドルタイマ（ｔｃ）をリセットして、再びアイドルタイマ（ｔｃ）をセットする指示を出力する。そして、表示手段１６８に表示されている静止画サムネイルに該当する画像ファイルを記録媒体１７７から読み出して、送受信手段１５７を介して携帯端末３０に送信する処理を行う。
【００９３】
電子カメラ１０から送信された画像ファイル「Ｉｍａｇｅ  Ｐｕｔ」の情報は、「Ｃｏｍ２６」にて携帯端末３０が受信する。「Ｃｏｍ２６」にて画像ファイルを受信した携帯端末３０の情報処理手段３８０は、通信処理を実施したことを受けて、タイマ３９０Ａに対してアイドルタイマ（ｔｓ）をリセットして、再びアイドルタイマ（ｔｃ）をセットする指示を出力する。
【００９４】
そして情報処理手段３８０は、受信した画像ファイルを記録媒体３７７等の記録手段に記録する処理を行う。画像ファイルの受信が完了すると、情報処理手段３８０は、電子カメラ１０に対して画像ファイル受信完了を示す「ＯＫ」情報を送信する処理を行う。
【００９５】
次に情報処理手段３８０は、Ｓ２０４「受信画像表示」にて、電子カメラ１０から受信した画像ファイルに記録されている画像を表示手段３６８に表示する処理を行う。電子カメラ１０が「Ｃｏｍ８」にて「ＯＫ」情報を受信すると、情報処理手段１８０は通信処理を実施したことを受けて、タイマ１９０Ａに対してアイドルタイマ（ｔｃ）をリセットして、再びアイドルタイマ（ｔｃ）をセットする指示を出力する。
【００９６】
また、利用者が「ユーザの操作６」〜「ユーザの操作９」にて、所望の画像を選択する旨の指示を、入力手段１７４を介して入力すると、情報処理手段１８０が実施する処理はＳ１１２「表示画像変更（△／▽）」〜Ｓ１１８「表示画像変更（△／▽）」に進む。Ｓ１１２〜Ｓ１１８では、入力処理を実施したことを受けて、タイマ１９０Ａに対してアイドルタイマ（ｔｃ）をリセットして、再びアイドルタイマ（ｔｃ）をセットする指示を出力する。そして、表示手段１６８に表示されている静止画サムネイルの選択枠（カーソル）を移動させる処理又は、表示されている静止画サムネイルをスクロールする処理を行う。
【００９７】
上述のように、電子カメラ１０に対して利用者から操作入力がある毎にアイドルタイマ（ｔｃ）がリセットされるので、タイムアウト時間以内で正常に操作を続ける限り、電子カメラ１０においてアイドルタイムアウトは発生しない。
【００９８】
なお、このようにして利用者が電子カメラ１０を操作して表示を閲覧している場合には、携帯端末３０とは通信を実施していないとともに、携帯端末３０は操作されていないので、Ｓ２０６にてアイドルタイマ（時間ｔｓ）がアップしてタイムアウトを発生する。以降携帯端末３０は「タイムアウト中」の状態になるが、電子カメラ１０側からは待機状態に移行することを指示する「Ｉｄｌｅ  Ｔｉｍｅｏｕｔ」情報が送信されてきていないので、携帯端末３０は待機モードには設定されずに動作状態を維持する。この状態では利用者は電子カメラ１０を正常に操作している最中であるので、クライアント・サーバシステム全体としては処理を中断してほしくない状態である。なお、従来はここで携帯端末３０が待機モードに設定されてしまうので、以降電子カメラ１０が通信を再開しようとしても、クライアント・サーバシステムとして通信を実行できなくなるという不具合を生じていた。
【００９９】
「ユーザの操作１０」にて、所望の画像を確定（携帯端末３０に対して画像の送信を実行）する旨の指示を、入力手段１７４を介して入力すると、情報処理手段１８０が実施する処理はＳ１２０「画像選択」に進む。Ｓ１２０では、入力処理を実施したことを受けて、タイマ１９０Ａに対してアイドルタイマ（ｔｃ）をリセットして、再びアイドルタイマ（ｔｃ）をセットする指示を出力する。そして、表示手段１６８に表示されている静止画サムネイルに該当する画像ファイルを記録媒体１７７から読み出して、送受信手段１５７を介して携帯端末３０に送信する処理を行う。
【０１００】
電子カメラ１０から送信された画像ファイル「Ｉｍａｇｅ  Ｐｕｔ」の情報は、「Ｃｏｍ２８」にて携帯端末３０が受信する。「Ｃｏｍ２８」にて画像ファイルを受信した携帯端末３０の情報処理手段３８０は、通信処理を実施したことを受けて、タイマ３９０Ａに対してアイドルタイマ（ｔｓ）のタイムアウトを解除して、再びアイドルタイマ（ｔｓ）をセットする指示を出力する。
【０１０１】
そして情報処理手段３８０は、受信した画像ファイルを記録媒体３７７等の記録手段に記録する処理を行う。画像ファイルの受信が完了すると、情報処理手段３８０は、電子カメラ１０に対して画像ファイル受信完了を示す「ＯＫ」情報を送信する処理を行う。
【０１０２】
次に情報処理手段３８０は、Ｓ２０８「受信画像表示」にて、電子カメラ１０から受信した画像ファイルに記録されている画像を表示手段３６８に表示する処理を行う。電子カメラ１０が「Ｃｏｍ１０」にて「ＯＫ」情報を受信すると、情報処理手段１８０は通信処理を実施したことを受けて、タイマ１９０Ａに対してアイドルタイマ（ｔｃ）をリセットして、再びアイドルタイマ（ｔｃ）をセットする指示を出力する。
【０１０３】
利用者が「ユーザの操作１１」にて、所望の画像を選択する旨の指示を、入力手段１７４を介して入力すると、情報処理手段１８０が実施する処理はＳ１２２「表示画像変更（△／▽）」に進む。Ｓ１２２では、入力処理を実施したことを受けて、タイマ１９０Ａに対してアイドルタイマ（ｔｃ）をリセットして、再びアイドルタイマ（ｔｃ）をセットする指示を出力する。そして、表示手段１６８に表示されている静止画サムネイルの選択枠（カーソル）を移動させる処理又は、表示されている静止画サムネイルをスクロールする処理を行う。
【０１０４】
次の「ユーザの操作１２」にて、所望の画像を確定（携帯端末３０に対して画像の送信を実行）する旨の指示を、入力手段１７４を介して入力すると、情報処理手段１８０が実施する処理はＳ１２４「画像選択」に進む。Ｓ１２４では、入力処理を実施したことを受けて、タイマ１９０Ａに対してアイドルタイマ（ｔｃ）をリセットして、再びアイドルタイマ（ｔｃ）をセットする指示を出力する。そして、表示手段１６８に表示されている静止画サムネイルに該当する画像ファイルを記録媒体１７７から読み出して、送受信手段１５７を介して携帯端末３０に送信する処理を行う。
【０１０５】
電子カメラ１０から送信された画像ファイル「Ｉｍａｇｅ  Ｐｕｔ」の情報は、「Ｃｏｍ３０」にて携帯端末３０が受信する。「Ｃｏｍ３０」にて画像ファイルを受信した携帯端末３０の情報処理手段３８０は、通信処理を実施したことを受けて、タイマ３９０Ａに対してアイドルタイマ（ｔｓ）をリセットして、再びアイドルタイマ（ｔｓ）をセットする指示を出力する。
【０１０６】
そして情報処理手段３８０は、受信した画像ファイルを記録媒体３７７等の記録手段に記録する処理を行う。画像ファイルの受信が完了すると、情報処理手段３８０は、電子カメラ１０に対して画像ファイル受信完了を示す「ＯＫ」情報を送信する処理を行う。電子カメラ１０が「Ｃｏｍ１２」にて「ＯＫ」情報を受信すると、情報処理手段１８０は通信処理を実施したことを受けて、タイマ１９０Ａに対してアイドルタイマ（ｔｃ）をリセットして、再びアイドルタイマ（ｔｃ）をセットする指示を出力する。
【０１０７】
以降電子カメラ１０に対しても携帯端末３０に対しても利用者から何ら情報の入力がなされていない場合（双方の通信機器が放置された状態）には、クライアント機器に設定されている電子カメラ１０のアイドルタイマ（ｔｃ）がアップして、タイムアウトを発生する。情報処理手段１８０が、割り込み又はポーリングによってアイドルタイマ（ｔｃ）のタイムアウトを検出すると、「Ｃｏｍ１４」にて情報処理手段１８０は送受信手段１５７を介して携帯端末３０に電子カメラ１０にて省電力モードに移行するタイムアウトを発生したことを示す「Ｉｄｌｅ
Ｔｉｍｅｏｕｔ」の情報を出力する。
【０１０８】
携帯端末３０が「Ｃｏｍ３２」にて前記「Ｉｄｌｅ  Ｔｉｍｅｏｕｔ」の情報を受信すると、情報処理手段３８０は、タイマ３９０Ａが計数しているサーバ機器に設定されているアイドルタイマ（ｔｓ）の値を読む処理を行う。この段階では、未だアイドルタイマ（ｔｓ）はアップしていないので、携帯端末３０側では待機モードに設定することはできないので、情報処理手段３８０は電子カメラ１０に対して「Ｐｅｎｄｉｎｇ  Ｔｉｍｅｏｕｔ」の情報を出力する。そして、情報処理手段３８０は、電子カメラ１０から「Ｉｄｌｅ  Ｔｉｍｅｏｕｔ」の情報を受信しても、アイドルタイマ（ｔｓ）はリセットせずに、そのまま計数を続ける。なお、電子カメラ１０から一般パケットを受信した場合には、情報処理手段３８０は、アイドルタイマ（ｔｓ）をリセットして再セットする処理を行う。
【０１０９】
電子カメラ１０が「Ｃｏｍ１６」にて前記「Ｐｅｎｄｉｎｇ  Ｔｉｍｅｏｕｔ」の情報を受信すると、情報処理手段１８０は通信処理を実施したことを受けて、タイマ１９０Ａに対してアイドルタイマ（ｔｃ）をリセットして、再びアイドルタイマ（ｔｃ）をセットする指示を出力する。なお、携帯端末３０において「Ｉｄｌｅ  Ｔｉｍｅｏｕｔ」の情報を受信した際に、アイドルタイマ（ｔｓ）がアップしている場合には、電子カメラ１０に対しては「Ａｃｃｅｐｔ  Ｔｉｍｅｏｕｔ」の情報を送信する。
【０１１０】
以降電子カメラ１０に対しても携帯端末３０に対しても利用者から何ら情報の入力がなされていない場合には、クライアント機器に設定されている電子カメラ１０のアイドルタイマ（ｔｃ）が再びアップして、タイムアウトを発生する。情報処理手段１８０が、割り込み又はポーリングによってアイドルタイマ（ｔｃ）のタイムアウトを検出すると、「Ｃｏｍ１８」にて情報処理手段１８０は送受信手段１５７を介して携帯端末３０に電子カメラ１０にて省電力モードに移行するタイムアウトを発生したことを示す「Ｉｄｌｅ  Ｔｉｍｅｏｕｔ」の情報を出力する。
【０１１１】
携帯端末３０が「Ｃｏｍ３４」にて前記「Ｉｄｌｅ  Ｔｉｍｅｏｕｔ」の情報を受信すると、情報処理手段３８０は、タイマ３９０Ａが計数しているサーバ機器に設定されているアイドルタイマ（ｔｓ）の値を読む処理を行う。この段階ではアイドルタイマ（ｔｓ）がアップしてタイムアウト中に設定されているので、情報処理手段３８０は電子カメラ１０に対して「Ａｃｃｅｐｔ  Ｔｉｍｅｏｕｔ」の情報を出力する。
【０１１２】
この状態で電子カメラ１０が「Ｃｏｍ１９」にて前記「Ａｃｃｅｐｔ  Ｔｉｍｅｏｕｔ」の情報を受信すると、情報処理手段１８０は省電力モードに移行する処理を開始する。省電力モードに移行する際には、省電力モードに移行する旨の通知をサーバ側の機器に通知するとともに、通信を遮断する処理を行う。そこで情報処理手段１８０は、携帯端末３０に対してパワーオフの情報と通信を切断する旨の情報が付加されている「Ｄｉｓｃｏｎｎｅｃｔ  ｒｅｑｕｅｓｔ（パワーオフ）」情報を、送受信手段１５７を介して携帯端末３０に送信する処理を行う。
【０１１３】
前記「Ｄｉｓｃｏｎｎｅｃｔ  ｒｅｑｕｅｓｔ（パワーオフ）」情報を受信した携帯端末３０の情報処理手段３８０は、通信処理の終了処理を開始するとともに、電子カメラ１０に対して「Ｄｉｓｃｏｎｎｅｃｔ  ｒｅｓｐｏｎｓｅ（パワーオフ）」情報を送信する。そして情報処理手段３８０は、電源３９１に対して省電力モードに移行するための非動作状態を指定する。前記非動作状態を設定された電源３９１は、動作不要な周辺機器に対して電力の供給を停止する。また、情報処理手段３８０は動作クロックを遅く設定することによってＳ２１０「パワーオフ」にて省電力モードに設定される。
【０１１４】
また、前記「Ｄｉｓｃｏｎｎｅｃｔ  ｒｅｓｐｏｎｓｅ（パワーオフ）」情報を受信した電子カメラ１０の情報処理手段１８０は、通信処理の終了処理を開始するとともに、電源１９１に対して省電力モードに移行するための非動作状態を指定する。前記非動作状態を設定された電源１９１は、動作不要な周辺機器に対して電力の供給を停止する。また、情報処理手段１８０は動作クロックを遅く設定することによってＳ１２６「パワーオフ」にて省電力モードに設定される。
【０１１５】
上記のようにクライアント・サーバモデルにおいて省電力モードを設定する処理を行うことによって、クライアント機器にて省電力モードに移行するためのタイムアウトが発生してからサーバ機器の省電力モードに移行するタイムアウトを監視して、サーバ機器のタイムアウトが発生している時点で双方の通信機器を同時に省電力モードに移行させることが可能となる。
【０１１６】
図８及び図９は、電子カメラ１０と携帯端末３０の間で実施する対象モデルにおける通信処理のフローを示した図である。
【０１１７】
利用者が「ユーザの操作３０」にてモード切替ダイヤル１０７を携帯端末と無線通信を実施する通信モードに設定すると、情報処理手段１８０が実施する処理は、Ｓ３００「通信モード」に進む。利用者から「ユーザの操作３０」が入力されると、情報処理手段１８０は、タイマ１９０Ａにアイドルタイマ（ｔｄ）をセットする処理を行う。以降タイマ１９０Ａはセットされたアイドルタイマ（ｔｄ）を刻々計数する処理を行う。
【０１１８】
また、利用者は携帯端末３０についてもタッチパネル３６９等を操作して「ユーザの操作６０」にて処理モードを通信モードに切り換える処理を行う。携帯端末３０の処理モードが通信モードに設定されると、情報処理手段３８０が実施する処理は、Ｓ４００「通信モード」に進む。また、利用者から「ユーザの操作６０」が入力されると、情報処理手段３８０は、タイマ３９０Ａにアイドルタイマ（ｔｐ）をセットする処理を行う。以降タイマ３９０Ａはセットされたアイドルタイマ（ｔｐ）を刻々計数する処理を行う。
【０１１９】
電子カメラ１０の処理モードが通信モードに設定されると、情報処理手段１８０が実施する処理はＳ３０２「最終撮影画像表示」に進み、記録媒体１７７に記録されている画像ファイルの中から、最新のタイムスタンプを有する画像ファイルを読み出して、表示手段１６８に主画像を表示する処理を行う。また、通信可能な機器が近傍に存在するか否かを探す処理を実施するために、情報処理手段１８０は送受信手段１５７に対して、「Ｃｏｎｎｅｃｔ  ｒｅｑｕｅｓｔ」を送信する指示を出力する。すると電子カメラ１０から接続要求信号が出力され、携帯端末３０がその接続要求信号を受信する。
【０１２０】
「Ｃｏｍ６０」にて接続要求信号を受信した携帯端末３０の情報処理手段３８０は、通信処理を実施したことを受けてタイマ３９０Ａに対してアイドルタイマ（ｔｐ）をリセットして、再びアイドルタイマ（ｔｐ）をセットする指示を出力する。そして情報処理手段３８０は、送受信手段３５７に対して通信接続したことを示す接続応答「Ｃｏｎｎｅｃｔ  ｒｅｓｐｏｎｓｅ」を電子カメラ１０に対して送信する。
【０１２１】
「Ｃｏｍ４０」にて該接続応答を受信した電子カメラ１０の情報処理手段１８０は、通信処理を実施したことを受けて、タイマ１９０Ａに対してアイドルタイマ（ｔｄ）をリセットして、再びアイドルタイマ（ｔｄ）をセットする指示を出力する。また、携帯端末３０に対して、例えば携帯端末３０における画像の処理能力（画素数や階調、動画像におけるフレームレートなどの処理能力）を問い合わせる「Ｃａｐａｂｉｌｉｔｙ  ｒｅｑｕｅｓｔ」を送信する。
【０１２２】
「Ｃｏｍ６２」にて、前記「Ｃａｐａｂｉｌｉｔｙ  ｒｅｑｕｅｓｔ」を受信した携帯端末３０は、通信処理を実施したことを受けて、タイマ３９０Ａに対してアイドルタイマ（ｔｐ）をリセットして、再びアイドルタイマ（ｔｐ）をセットする指示を出力する。また、電子カメラ１０に対して、携帯端末３０における画像の処理能力を回答する「Ｃａｐａｂｉｌｉｔｙ  ｒｅｓｐｏｎｓｅ」を送信する。
【０１２３】
「Ｃｏｍ４２」にて、携帯端末３０から「Ｃａｐａｂｉｌｉｔｙ  ｒｅｓｐｏｎｓｅ」を受信すると、電子カメラ１０の情報処理手段１８０は、通信処理を実施したことを受けて、タイマ１９０Ａに対してアイドルタイマ（ｔｄ）をリセットして、再びアイドルタイマ（ｔｄ）をセットする指示を出力する。そして、表示手段１６８に、記録媒体１７７から読み出した画像ファイルに記録されている静止画サムネイルを一覧表示して、利用者による選択指示を待つ処理を行う。
【０１２４】
利用者が「ユーザの操作３１」にて、所望の画像を選択する旨の指示を、入力手段１７４を介して入力すると、情報処理手段１８０が実施する処理はＳ３０４「表示画像変更（△／▽）」に進む。Ｓ３０４では、入力処理を実施したことを受けて、タイマ１９０Ａに対してアイドルタイマ（ｔｄ）をリセットして、再びアイドルタイマ（ｔｄ）をセットする指示を出力する。そして、表示手段１６８に表示されている静止画サムネイルの選択枠（カーソル）を移動させる処理又は、表示されている静止画サムネイルをスクロールする処理を行う。
【０１２５】
次の「ユーザの操作３２」にて、所望の画像を確定（携帯端末３０に対して画像の送信を実行）する旨の指示を、入力手段１７４を介して入力すると、情報処理手段１８０が実施する処理はＳ３０６「画像選択（実行）」に進む。Ｓ３０６では、入力処理を実施したことを受けて、タイマ１９０Ａに対してアイドルタイマ（ｔｄ）をリセットして、再びアイドルタイマ（ｔｄ）をセットする指示を出力する。そして、表示手段１６８に表示されている静止画サムネイルに該当する画像ファイルを記録媒体１７７から読み出して、送受信手段１５７を介して携帯端末３０に送信する処理を行う。
【０１２６】
電子カメラ１０から送信された画像ファイル「Ｉｍａｇｅ  Ｐｕｔ」の情報は、「Ｃｏｍ６４」にて携帯端末３０が受信する。「Ｃｏｍ６４」にて画像ファイルを受信した携帯端末３０の情報処理手段３８０は、通信処理を実施したことを受けて、タイマ３９０Ａに対してアイドルタイマ（ｔｐ）をリセットして、再びアイドルタイマ（ｔｐ）をセットする指示を出力する。
【０１２７】
そして情報処理手段３８０は、受信した画像ファイルを記録媒体３７７等の記録手段に記録する処理を行う。画像ファイルの受信が完了すると、情報処理手段３８０は、電子カメラ１０に対して画像ファイル受信完了を示す「ＯＫ」情報を送信する処理を行う。
【０１２８】
次に情報処理手段３８０は、Ｓ４０２「受信画像表示」にて、電子カメラ１０から受信した画像ファイルに記録されている画像を表示手段３６８に表示する処理を行う。電子カメラ１０が「Ｃｏｍ４４」にて「ＯＫ」情報を受信すると、情報処理手段１８０は通信処理を実施したことを受けて、タイマ１９０Ａに対してアイドルタイマ（ｔｄ）をリセットして、再びアイドルタイマ（ｔｄ）をセットする指示を出力する。
【０１２９】
また、利用者が「ユーザの操作３３」にて、所望の画像を選択する旨の指示を、入力手段１７４を介して入力すると、情報処理手段１８０が実施する処理はＳ３０８「表示画像変更（△／▽）」に進む。Ｓ３０８では、入力処理を実施したことを受けて、タイマ１９０Ａに対してアイドルタイマ（ｔｄ）をリセットして、再びアイドルタイマ（ｔｄ）をセットする指示を出力する。そして、表示手段１６８に表示されている静止画サムネイルの選択枠（カーソル）を移動させる処理又は、表示されている静止画サムネイルをスクロールする処理を行う。
【０１３０】
次の「ユーザの操作３４」にて、所望の画像を確定（携帯端末３０に対して画像の送信を実行）する旨の指示を、入力手段１７４を介して入力すると、情報処理手段１８０が実施する処理はＳ３１０「画像選択」に進む。Ｓ３１０では、入力処理を実施したことを受けて、タイマ１９０Ａに対してアイドルタイマ（ｔｄ）をリセットして、再びアイドルタイマ（ｔｄ）をセットする指示を出力する。そして、表示手段１６８に表示されている静止画サムネイルに該当する画像ファイルを記録媒体１７７から読み出して、送受信手段１５７を介して携帯端末３０に送信する処理を行う。
【０１３１】
電子カメラ１０から送信された画像ファイル「Ｉｍａｇｅ  Ｐｕｔ」の情報は、「Ｃｏｍ６６」にて携帯端末３０が受信する。「Ｃｏｍ６６」にて画像ファイルを受信した携帯端末３０の情報処理手段３８０は、通信処理を実施したことを受けて、タイマ３９０Ａに対してアイドルタイマ（ｔｐ）をリセットして、再びアイドルタイマ（ｔｐ）をセットする指示を出力する。
【０１３２】
そして情報処理手段３８０は、受信した画像ファイルを記録媒体３７７等の記録手段に記録する処理を行う。画像ファイルの受信が完了すると、情報処理手段３８０は、電子カメラ１０に対して画像ファイル受信完了を示す「ＯＫ」情報を送信する処理を行う。
【０１３３】
次に情報処理手段３８０は、Ｓ４０４「受信画像表示」にて、電子カメラ１０から受信した画像ファイルに記録されている画像を表示手段３６８に表示する処理を行う。電子カメラ１０が「Ｃｏｍ４６」にて「ＯＫ」情報を受信すると、情報処理手段１８０は通信処理を実施したことを受けて、タイマ１９０Ａに対してアイドルタイマ（ｔｄ）をリセットして、再びアイドルタイマ（ｔｄ）をセットする指示を出力する。
【０１３４】
また、利用者が「ユーザの操作３５」〜「ユーザの操作３８」にて、所望の画像を選択する旨の指示を、入力手段１７４を介して入力すると、情報処理手段１８０が実施する処理はＳ３１２「表示画像変更（△／▽）」〜Ｓ３１８「表示画像変更（△／▽）」に進む。Ｓ３１２〜Ｓ３１８では、入力処理を実施したことを受けて、タイマ１９０Ａに対してアイドルタイマ（ｔｄ）をリセットして、再びアイドルタイマ（ｔｄ）をセットする指示を出力する。そして、表示手段１６８に表示されている静止画サムネイルの選択枠（カーソル）を移動させる処理又は、表示されている静止画サムネイルをスクロールする処理を行う。
【０１３５】
なお、このようにして利用者が電子カメラ１０を操作して表示を閲覧している場合には、携帯端末３０とは通信を実施していないとともに、携帯端末３０は操作されていないので、Ｓ４０６にてアイドルタイマ（時間ｔｐ）がアップしてタイムアウトを発生する。以降携帯端末３０は「タイムアウト中」の状態になるが、電子カメラ１０側からは待機状態に移行することを指示する「Ｉｄｌｅ  Ｔｉｍｅｏｕｔ」情報が送信されてきていないので、携帯端末３０は待機モードには設定されずに動作状態を維持する。なお、従来はここで携帯端末３０が待機モードに設定されてしまうので、以降電子カメラ１０が通信を再開しようとしても、通信を実行できないという不具合を生じていた。
【０１３６】
本発明では、携帯端末３０はこの時点ではまだ待機モードに設定せずに、電子カメラ１０に対して、携帯端末３０のアイドルタイマ（ｔｐ）がアップしていないことを示す「Ｉｄｌｅ  Ｔｉｍｅｏｕｔ」を送信する。該「Ｉｄｌｅ  Ｔｉｍｅｏｕｔ」を「Ｃｏｍ４８」で電子カメラ１０が受信すると、電子カメラ１０の情報処理手段１８０は自己のアイドルタイマ（ｔｄ）を参照する。この状態では、未だアイドルタイマ（ｔｄ）はアップしておらず、タイムアウトになっていないことを受けて、タイムアウト保留フラグをセットして、ＲＡＭ１８４に記録する。そして、電子カメラ１０は未だタイムアウトになっていないことを示す「Ｐｅｎｄｉｎｇ  Ｔｉｍｅｏｕｔ」の情報を携帯端末３０に対して送信する。
【０１３７】
前記「Ｐｅｎｄｉｎｇ  Ｔｉｍｅｏｕｔ」の情報を受信した情報処理手段３８０は、通信を実施したことを受けてアイドルタイマ（ｔｐ）のタイムアウトを解除して（クリアして）、再びアイドルタイマ（ｔｐ）をセットする。
【０１３８】
「ユーザの操作３８」によって、利用者が入力手段１７４を操作すると、利用者の操作が発生したことを受けて、ＲＡＭ１８４に記録されているタイムアウト保留フラグをリセットする。
【０１３９】
「ユーザの操作３９」にて、所望の画像を確定（携帯端末３０に対して画像の送信を実行）する旨の指示を、入力手段１７４を介して入力すると、情報処理手段１８０が実施する処理はＳ３２０「画像選択」に進む。Ｓ３２０では、入力処理を実施したことを受けて、タイマ１９０Ａに対してアイドルタイマ（ｔｄ）をリセットして、再びアイドルタイマ（ｔｄ）をセットする指示を出力する。そして、表示手段１６８に表示されている静止画サムネイルに該当する画像ファイルを記録媒体１７７から読み出して、送受信手段１５７を介して携帯端末３０に送信する処理を行う。
【０１４０】
電子カメラ１０から送信された画像ファイル「Ｉｍａｇｅ  Ｐｕｔ」の情報は、「Ｃｏｍ６８」にて携帯端末３０が受信する。「Ｃｏｍ６８」にて画像ファイルを受信した携帯端末３０の情報処理手段３８０は、通信処理を実施したことを受けて、タイマ３９０Ａに対してアイドルタイマ（ｔｐ）をリセットして、再びアイドルタイマ（ｔｐ）をセットする指示を出力する。
【０１４１】
そして情報処理手段３８０は、受信した画像ファイルを記録媒体３７７等の記録手段に記録する処理を行う。画像ファイルの受信が完了すると、情報処理手段３８０は、電子カメラ１０に対して画像ファイル受信完了を示す「ＯＫ」情報を送信する処理を行う。
【０１４２】
次に情報処理手段３８０は、Ｓ４０８「受信画像表示」にて、電子カメラ１０から受信した画像ファイルに記録されている画像を表示手段３６８に表示する処理を行う。電子カメラ１０が「Ｃｏｍ５０」にて「ＯＫ」情報を受信すると、情報処理手段１８０は通信処理を実施したことを受けて、タイマ１９０Ａに対してアイドルタイマ（ｔｄ）をリセットして、再びアイドルタイマ（ｔｄ）をセットする指示を出力する。
【０１４３】
利用者が「ユーザの操作４０」にて、所望の画像を選択する旨の指示を、入力手段１７４を介して入力すると、情報処理手段１８０が実施する処理はＳ３２２「表示画像変更（△／▽）」に進む。Ｓ３２２では、入力処理を実施したことを受けて、タイマ１９０Ａに対してアイドルタイマ（ｔｄ）をリセットして、再びアイドルタイマ（ｔｄ）をセットする指示を出力する。そして、表示手段１６８に表示されている静止画サムネイルの選択枠（カーソル）を移動させる処理又は、表示されている静止画サムネイルをスクロールする処理を行う。
【０１４４】
次の「ユーザの操作４１」にて、所望の画像を確定（携帯端末３０に対して画像の送信を実行）する旨の指示を、入力手段１７４を介して入力すると、情報処理手段１８０が実施する処理はＳ３２４「画像選択」に進む。Ｓ３２４では、入力処理を実施したことを受けて、タイマ１９０Ａに対してアイドルタイマ（ｔｄ）をリセットして、再びアイドルタイマ（ｔｄ）をセットする指示を出力する。そして、表示手段１６８に表示されている静止画サムネイルに該当する画像ファイルを記録媒体１７７から読み出して、送受信手段１５７を介して携帯端末３０に送信する処理を行う。
【０１４５】
電子カメラ１０から送信された画像ファイル「Ｉｍａｇｅ  Ｐｕｔ」の情報は、「Ｃｏｍ７０」にて携帯端末３０が受信する。「Ｃｏｍ７０」にて画像ファイルを受信した携帯端末３０の情報処理手段３８０は、通信処理を実施したことを受けて、タイマ３９０Ａに対してアイドルタイマ（ｔｐ）をリセットして、再びアイドルタイマ（ｔｐ）をセットする指示を出力する。
【０１４６】
そして情報処理手段３８０は、受信した画像ファイルを記録媒体３７７等の記録手段に記録する処理を行う。画像ファイルの受信が完了すると、情報処理手段３８０は、電子カメラ１０に対して画像ファイル受信完了を示す「ＯＫ」情報を送信する処理を行う。
【０１４７】
以降電子カメラ１０に対しても携帯端末３０に対しても利用者から何ら情報の入力がなされていない場合には、Ｓ３２６にて電子カメラ１０のアイドルタイマ（ｔｄ）がアップして、タイムアウトを発生する。情報処理手段１８０が、割り込み又はポーリングによってアイドルタイマのタイムアウトを検出すると、「Ｃｏｍ５２」にて情報処理手段１８０は送受信手段１５７を介して、携帯端末３０に電子カメラ１０にて省電力モードに移行するタイムアウトを発生したことを示す「Ｉｄｌｅ  Ｔｉｍｅｏｕｔ」の情報を出力する。
【０１４８】
携帯端末３０が前記「Ｉｄｌｅ  Ｔｉｍｅｏｕｔ」の情報を電子カメラ１０から受信すると、情報処理手段３８０はタイマ３９０Ａが計数しているアイドルタイマ（ｔｐ）の値を読む処理を行う。この段階では、未だ携帯端末３０のアイドルタイマ（ｔｐ）はアップしていないので、携帯端末３０側で待機モードに設定することはない。情報処理手段３８０は、タイムアウト保留フラグをセットしてメモリ３８１等の記録手段に記録する処理を行う。更に情報処理手段３８０は、未だ携帯端末３０側のアイドルタイマ（ｔｐ）がアップしていないことを示す「Ｐｅｎｄｉｎｇ  Ｔｉｍｅｏｕｔ」の情報を、電子カメラ１０に対して出力する。
【０１４９】
電子カメラ１０が前記「Ｐｅｎｄｉｎｇ  Ｔｉｍｅｏｕｔ」の情報を受信すると、情報処理手段１８０は、タイムアウト保留フラグをセットしてＲＡＭ１８４等の記録手段に記録する処理を行う。更に情報処理手段１８０は、未だ携帯端末３０側のアイドルタイマ（ｔｐ）がアップしていないことを示す「Ｐｅｎｄｉｎｇ  Ｔｉｍｅｏｕｔ」の情報を、携帯端末３０に対して出力する。
【０１５０】
Ｓ４１０にて、アイドルタイマ（ｔｐ）がアップしてタイムアウトが発生すると、情報処理手段３８０はメモリ３８１に記録されているタイムアウト保留フラグを参照する。同図に示すように、タイムアウト保留フラグがセットされている場合には、情報処理手段３８０は、「Ｄｉｓｃｏｎｎｅｃｔ  ｒｅｑｕｅｓｔ（パワーオフ）」の情報を電子カメラ１０に対して出力する。
【０１５１】
前記「Ｄｉｓｃｏｎｎｅｃｔ  ｒｅｑｕｅｓｔ（パワーオフ）」の情報を受信した電子カメラ１０は、必要に応じてタイマ１９０Ａが計数しているアイドルタイマ（ｔｄ）の値を読む処理を行う。この段階では、未だ電子カメラ１０のアイドルタイマ（ｔｄ）はアップしていないが、タイムアウト保留フラグがＲＡＭ１８４にセットされているので、電子カメラ１０を待機モードに設定する処理を開始する。先ず情報処理手段１８０は、携帯端末３０を待機モードに設定してもよいことを示す「Ｄｉｓｃｏｎｎｅｃｔ  ｒｅｓｐｏｎｓｅ（パワーオフ）」の情報を携帯端末３０に対して送信する。
【０１５２】
前記「Ｄｉｓｃｏｎｎｅｃｔ  ｒｅｓｐｏｎｓｅ（パワーオフ）」の情報を電子カメラ１０から受信した携帯端末３０の情報処理手段３８０は、通信処理を終了するとともに、電源３９１に対して省電力モードに移行するための非動作状態を指定する。前記非動作状態を設定された電源３９１は、動作不要な周辺機器に対して電力の供給を停止する。また、情報処理手段３８０は動作クロックを遅く設定することによってＳ４１２「パワーオフ」にて省電力モードに設定される。
【０１５３】
また、電子カメラ１０の情報処理手段１８０は、通信処理の終了処理を開始するとともに、必要に応じて自己のアイドルタイマ（ｔｄ）のアップを待ってから、情報処理手段１８０は電源１９１に対して省電力モードに移行するための非動作状態を指定する。前記非動作状態を設定された電源１９１は、動作不要な周辺機器に対して電力の供給を停止する。また、情報処理手段１８０は動作クロックを遅く設定することによってＳ３３０「パワーオフ」にて省電力モードに設定される。
【０１５４】
上記のように対象モデルにおいて省電力モードに設定する処理を行うことによって、他の通信機器から取得したタイムアウト通知に対して、自己の機器内にタイムアウト保留フラグをセットして、同タイムアウト保留フラグがセットされている状態で自己のアイドルタイマのタイムアウトを検出すると、オートパワーオフの処理を実施するようにしたので、通信に支障なく機器のパワーオフ又は機器を省電力モードに移行させることが可能となる。
【０１５５】
なお、タイムアウト保留フラグは、他の通信機器からの一般パケット（アイドルタイマのタイムアウトの通知以外）の情報を受信した場合、もしくは、利用者による操作が発生した場合にリセットされるものである。
【０１５６】
【発明の効果】
以上説明したように、本発明に係る通信機器によれば、送受信手段を介した情報の送受信又は入力手段を介して利用者から指示の入力が所定の時間の間なかった場合にはタイムアウトを発生し、送受信手段を介して他の通信機器が発したアイドルタイムアウトを受信した際において前記タイムアウトが発生している場合には、当該通信機器の処理モードを待機モードに設定、又は、当該通信機器の動作電力を遮断するようにしたので、複数の通信機器間で通信を実施している場合であっても通信接続されている通信機器同士が連携を取り合って効率よくパワーオフを実施することが可能となる。
【０１５７】
また他の発明の形態によれば、通信接続されている機器間において他方の通信機器が一方的にパワーオフしてしまい当方の通信機器において通信を実施することができなくなるという不具合を防止することが可能となる。
【０１５８】
また他の発明の形態によれば、他の通信機器が発したアイドルタイムアウトを受信した際に自己の通信機器のタイムアウトが発生していない場合には、タイムアウトを保留する情報を他の通信機器に送信するようにしたので、複数の通信機器間で通信を実施している場合であっても通信接続されている通信機器同士が連携を取り合って効率よくパワーオフを実施することが可能となる。
【０１５９】
また他の発明の形態によれば、他の通信機器が発したアイドルタイムアウトを受信した際に前記タイムアウトが発生していない場合にはタイムアウト保留フラグを記録手段にセットし、後に前記タイムアウトが発生した場合であって且つ前記タイムアウト保留フラグが記録手段にセットされている場合には、当該通信機器の処理モードを待機モードに設定、又は、当該通信機器の動作電力を遮断するので、複数の通信機器間で通信を実施している場合であっても通信接続されている通信機器同士が連携を取り合って効率よくパワーオフを実施することが可能となる。
【０１６０】
したがって本発明によれば、複数の通信機器を用いて相互に情報の送受信を実施している場合であっても、効率的な省電力モードへの移行や各通信機器のパワーオフ処理を実施することが可能となる。
【図面の簡単な説明】
【図１】本発明に係る通信機器の一形態である電子カメラの外観斜視図
【図２】本発明に係る通信機器の一形態である電子カメラの信号処理系ブロック図
【図３】モード切替ダイヤルに設けられている各種設定モードの表示を示す図
【図４】本発明に係る通信機器の一形態である携帯端末の外観図
【図５】本発明に係る通信機器の一形態である携帯端末の信号処理系ブロック図
【図６】電子カメラ（クライアント側の通信機器）と携帯端末（サーバ側の通信機器）との間で実施する通信処理のフローを示した図
【図７】電子カメラ（クライアント側の通信機器）と携帯端末（サーバ側の通信機器）との間で実施する通信処理のフローを示した図
【図８】電子カメラと携帯端末との間で実施する対象モデルにおける通信処理のフローを示した図
【図９】電子カメラと携帯端末との間で実施する対象モデルにおける通信処理のフローを示した図
【符号の説明】
１０…電子カメラ、３０…携帯端末、１００…レンズ鏡胴、１０５…電源スイッチ、１０６…レリーズボタン、１０７…モード切替ダイヤル、１１３…十字ボタン、１５０…撮像手段、１５３…画像処理手段、１５４…Ａ／Ｄ変換器、１５６…アンテナ、１５７…送受信手段、１６２…通信コネクタ、１６７…圧縮伸張手段、１６８…表示手段、１６９…ＯＳＤ、１７１…フレームメモリ、１７２…Ｄ／Ａ変換器、１７４…入力手段、１７５…Ｉ／Ｏ、１７７…記録媒体、１７８…記録媒体装着部、１７９…記録媒体インターフェース、１８０…情報処理手段、１８２…不揮発性メモリ、１８４…ＲＡＭ、１９０…カレンダ時計、１９０Ａ…タイマ、１９１…電源、１９１Ａ…電池、１９３…発光手段、１９４…発光制御手段、１９９…バス、３０５…電源スイッチ、３５６…アンテナ、３５７…送受信手段、３６８…表示手段、３６９…タッチパネル、３７０…タッチパネル制御手段、３７１…フレームメモリ、３７２…表示制御手段、３７４…入力手段、３７５…Ｉ／Ｏ、３７７…記録媒体、３７８…記録媒体装着部、３７９…記録媒体インターフェース、３８０…情報処理手段、３８１…メモリ、３８２…不揮発性メモリ、３９０…カレンダ時計、３９０Ａ…タイマ、３９９…バス
【図１】
0004055047.tif 000002
【図２】
0004055047.tif 000003
【図３】
0004055047.tif 000004
【図４】
0004055047.tif 000005
【図５】
0004055047.tif 000006
【図６】
0004055047.tif 000007
【図７】
0004055047.tif 000008
【図８】
0004055047.tif 000009
【図９】
0004055047.tif 000010